(57)【要約】      （修正有）【課題】排泄物処理装置を提供する。【解決手段】ベッド本体１１上に設けられる上敷マットの上層部に形成された凹部１３には、上敷マットと上面レベルが同じになるようにして軟質樹脂製の受パッド１５が嵌装され、上側セット凹部１６と下側セット凹部１７とを有し、上側セット凹部内には、受入れ盤２０が嵌め込み状に装着され、中央上側に上受入口２１を下側に通口を形成した受皿状の受入れ環部２３と受入れ環部の上端外周に設けられ受パッド１５の上側セット凹部上に添って密着される外周カバー環部２５とを有する軟質樹脂製のもので、下側セット凹部内には、受処理盤が嵌め込み状に装着され、受入れ盤の下端の通口と連通状をなす上端開放状で有底状をした容器で、洗浄水供給手段４５と捕集物排除手段４９および乾燥気供給手段４７とが接続され、各手段が制御可能に電気的に接続され、受入れ環部に下側基部を取り付けられて身体所定位置に対向配置し得る排尿受ガイド盤６２が設けられる。【選択図】図２
0003224117.tif 000002
【実用新案登録請求の範囲】
【請求項１】
ベッド本体あるいはベッド本体上に設けられる上敷マットの上層部に形成された凹部には、ベッド本体あるいは上敷マットと上面レベルが同じになるようにして軟質樹脂製の受パッドが嵌装されるとともに、この受パッドは、上側セット凹部と下側セット凹部とを有し、上側セット凹部内には、受入れ盤が嵌め込み状に装着され、この受入れ盤は、中央上側に上受入口を下側に通口を形成した受皿状の受入れ環部と、受入れ環部の上端外周に設けられ受パッドの上側セット凹部上に添って密着される外周カバー環部とを有する軟質樹脂製のものとされ、下側セット凹部内には、受処理盤が嵌め込み状に装着され、この受処理盤は、受入れ盤の下端の通口と連通状をなす上端開放状で有底状をした容器で、該容器には洗浄水供給手段と捕集物排除手段および乾燥気供給手段とが接続されるとともにこれら各手段が制御可能に電気的に接続され、前記受入れ盤には、その受入れ環部に下側基部を取り付けられて身体所定位置に対向配置し得る排尿受ガイド盤が設けられるようになっている排泄物処理装置。
【考案の詳細な説明】
【技術分野】
【０００１】  本考案は、排泄物処理装置に関する。
【背景技術】
【０００２】  老人介護施設、各種病院、一般家庭などにおいては、寝たきり患者のように自らトイレ施設まで行って排泄行為をすることが困難ないわゆる要介護者が近年多くなってきているのが実情である。そうした人達に対しては介護ヘルパーの方達による排泄等の処置を含む介護が必要とされるのであるが、そうした介護の必要なくして要介護者がベッドに寝たままで簡単かつ清潔に排泄物の捕集・除去などの処理が自動で行えるようにしたいという要求も多々ある。そうした自動処理についての提案も多くなされており、例えば、その一例として特許公報１に開示されたものがある。
【先行技術文献】
【特許文献】
【０００３】
【特許文献１】特開２００１−２５４５２２（該当個所：図１３、図１４ならびに［００２９］〜［００３４］）
【考案の概要】
【考案が解決しようとする課題】
【０００４】  特許文献１には排泄物処理装置、特に介護用ベッドの技術が例示され、ベッドは、上半身受部とそれより前後に進退可能な下半身受部とに分けて構成され、用を足す前に制御により下半身受部を上半身受部側から離してその離れた間にスペースを形成するようにし、そのスペースを利用して排泄処理槽をリフトアップさせてその吸盤が寝ている人の臀部に密着するように制御されるものとされている。そして、排泄が済まされたあとは吸盤内や臀部などを放射洗浄してそれら排泄物等を排除パイプを通じて排除するようになっている。そして洗浄後は下半身受部が上半身受部とともに平時用の１つのベッドを構成するように元の状態に戻される。
ところで、前記排泄処理装置付きベッドによれば、排泄処理前においては下半身受部を足先方向に引き離すようにされまた排泄処理後に受体である排泄処理槽が下向きに引き離されたあとは要介護者の臀部がその支えを全く失くして落ち込もうと不安定になることによりそれを落ち込まないように力を入れて持ち戻すように努力する必要があり、また排泄処理を終えたあとに下半身受部は元の上側に引き戻されるが、その際、臀部は落ち込んだ状態になりやすいためそのまま引き戻し駆動を行うと臀部が下半身受部と上半身受部との間に挟まれたりする危険がある。【０００５】  本考案は、こうした問題を解決しようとするものであり、排泄の前あるいは排泄処理後において要介護者等が自らの臀部を落ち込ますことがなくまた落ち込みを我慢するような必要もなく、また排泄処理後においても臀部を挟み込むことのないような排泄物処理装置を提供することを目的とする。
【課題を解決するための手段】
【０００６】  本考案は上記目的を達成するため、請求項１に記載の考案は、ベッド本体あるいはベッド本体上に設けられる上敷マットの上層部に形成された凹部には、ベッド本体あるいは上敷マットと上面レベルが同じになるようにして軟質樹脂製の受パッドが嵌装されるとともに、この受パッドは、上側セット凹部と下側セット凹部とを有し、上側セット凹部内には、受入れ盤が嵌め込み状に装着され、この受入れ盤は、中央上側に上受入口を下側に通口を形成した受皿状の受入れ環部と、受入れ環部の上端外周に設けられ受パッドの上側セット凹部上に添って密着される外周カバー環部とを有する軟質樹脂製のものとされ、下側セット凹部内には、受処理盤が嵌め込み状に装着され、この受処理盤は、受入れ盤の下端の通口と連通状をなす上端開放状で有底状をした容器で、該容器には洗浄水供給手段と捕集物排除手段および乾燥気供給手段とが接続されるとともにこれら各手段が制御可能に電気的に接続され、前記受入れ盤には、その受入れ環部に下側基部を取り付けられて身体所定位置に対向配置し得る排尿受ガイド盤が設けられるようになっている。
【考案の効果】
【０００７】  上述したように請求項１に記載の考案は、ベッド本体あるいはベッド本体上に設けられる上敷マットの上層部に形成された凹部には、ベッド本体あるいは上敷マットと上面レベルが同じになるようにして軟質樹脂製の受パッドが嵌装されるとともに、この受パッドは、上側セット凹部と下側セット凹部とを有し、上側セット凹部内には、受入れ盤が嵌め込み状に装着され、この受入れ盤は、中央上側に上受入口を下側に通口を形成した受皿状の受入れ環部と、受入れ環部の上端外周に設けられ受パッドの上側セット凹部上に添って密着される外周カバー環部とを有する軟質樹脂製のものとされ、下側セット凹部内には、受処理盤が嵌め込み状に装着され、この受処理盤は、受入れ盤の下端の通口と連通状をなす上端開放状で有底状をした容器で、該容器には洗浄水供給手段と捕集物排除手段および乾燥気供給手段とが接続されるとともにこれら各手段が制御可能に電気的に接続され、前記受入れ盤には、その受入れ環部に下側基部を取り付けられて身体所定位置に対向配置し得る排尿受ガイド盤が設けられるようになっているので、排泄の前あるいは排泄処理後において要介護者等が自らの臀部を落ち込ますことがなくまた落ち込みを我慢するような必要もなく、また排泄処理後においても臀部を挟み込むことのないような排泄物処理装置を提供することができる。
【図面の簡単な説明】
【０００８】
【図１】  本考案の排泄物処理装置の一実施形態を図２のＩ−Ｉ線に対応して示す平面図。
【図２】  図１のＩＩ−ＩＩ線模式断面図。
【図３】  図２のＩＩＩ−ＩＩＩ線模式断面図。
【図４】  図２のＩＶ−ＩＶ線断面図。
【考案を実施するための形態】
【０００９】  以下、本考案である排泄物処理装置の一実施形態を図１ないし図４に従って説明する。
これらの図において１は要介護者で、図２の矢印Ｘは排尿方向を、矢印Ｙは排便方向をそれぞれ示す。この要介護者１は、下半身装身着（下着パンツ）２を穿いてベッド３上で介護を受けるようになっている。下半身装身着２は図１および図２に矢印で示すように臀部中央帯部から下周りを介する前下腹部あたりにまで対応する中央前下回り帯５のみが他の部分に対して面ファスナー６を介して脱着めくり上げ可能になっている。
【００１０】  １０はベッド受枠で、床面から一定高さのところにその上枠部１０ａが位置し、その上枠部１０ａの上部一面にはベッド本体１１を支えるベッド敷面材１２が設けられている。
ベッド本体１１は、２０ｃｍ前後の一定厚さの弾性質を有するものとされその臀部下方近くに対応する上層部には上からみて角を丸くした矩形状をし深さ１０ｃｍ前後を呈する凹部１３が形成されている。
この凹部１３には、ベッド本体１１と同じ上面レベルとなるようにウレタン、シリコンあるいはスポンジゴム質である軟質樹脂製の受パッド１５が嵌装されるとともに、この受パッド１５は、平面視すると縦横が４００ｍｍ程度で厚みが１００ｍｍ前後の弾性質材とされるとともに、上側セット凹部１６と下側セット凹部１７とを有する。
受けパッド１５は図のように仰向けとなった要介護者１が臀部を含むその上下身体部分を載せ付けると一定量（３０ないし５０ｍｍ前後）弾性（沈み）変形するような材質設定となっている。
【００１１】  上側セット凹部１６内には、受入れ盤２０が嵌め込み状に装着されている。この受入れ盤２０は、中央上側に上受入口２１を下側に下通口２２を形成した受皿状の受入れ環部２３と、受入れ環部２３の上端外周に設けられ受パッド１５の上側セット凹部１６上に添って密着される外周カバー環部２５とを有する軟質樹脂製のものとされている。
【００１２】  下側セット凹部１７内には、受処理盤３０が嵌め込み状に装着されている。
この受処理盤３０は、受入れ盤２０の下端の下通口２２と連通状をなす上通口３１を上端開放状に備え底部３２を有する有底状をした薄板製ＳＵＳあるいは樹脂一体成形品などの略八角形をした容器であって、該受処理盤３０の上通口３１周りには、前記受入れ環部２３の底面に接着あるいは粘着により接合されるフランジ３４が設けられるとともに、周部３５はやや変形的な八角形の筒状をしたものとされ、さらに底部３２は全体として排泄物等が所定方向に流れやすくするため足先方向（図２の右方向）にやや下がり傾斜した放射状面として形成されている。受入れ盤２０と受処理盤３０とは上下別体合わせ型となっているが軟質樹脂あるいは硬質樹脂、ＳＵＳ薄板製などにより一体成形したものにしてもよい。
【００１３】  前記底部３２の左右幅間中央位置には、臀部からの排便器官口を含むその一帯に洗浄水が噴射されるよう多数の底噴き上げ口３７…が開設されているとともに、それら底噴き上げ口３７へ洗浄水（あるいは湯水）を供給すべくＵ字溝型をした導水トラフ３８が設けられている。導水トラフ３８内には下口金４０が連通し、その上の上口金４１は、周部３５内周に添ってリング状に取り付けられた多孔噴射口付きの捕集処理用下噴射パイプ４３に連通している。これらの口金４０，４１には洗浄水供給手段４５が接続されている。周部３５の内周には、乾燥気供給手段４７が接続され、また受処理盤３０の底部３２の低い個所には捕集物排除手段４９が接続されている。４８は乾燥気噴出パイプで、受処理盤３０の内周に添って設けられている。５０は捕集処理用上噴射パイプで、受入れ環部２３の内周に添って環状に設けられて前記下噴射パイプ４３と同様に洗浄水供給手段４５に連通して同時作動するようになっている。
【００１４】  ５１はバルブユニット、５２は全制御系、５３はセンサーであり、センサー５３は、要介護者あるいは介護者が尿意あるいは便意を催したときに操作するリモコン５５からの信号を受けて全制御系５２を作用させるようになっている。
５７は加温手段ａ付き乾燥気供給源、５８は捕集物還流部、５９は加温手段ａ付き給水源である。
【００１５】  ６２は軟質樹脂製などの排尿受ガイド盤で、半円の横断面形状で下向きに次第に大きな断面形状となるようい形成されてその下側基部６３を受入れ環部２３内の差し込み受片６４に差し込んだ状態にして身体所定位置に対向させ排尿Ｘを受け止めて図２の矢印方向に導き受処理盤３０内に誘導し得るようになっている。
【００１６】  排便等の用が済むと要介護者あるいは介護者はリモコン５５でもってまず洗浄水供給手段４５をＯＮにして受処理盤３０内に洗浄水を噴射して対処する。その際、洗浄水は底噴き上げ口３７を通じて噴き上げられることで身体の排便器官口などを洗浄しつつ捕集処理用上噴射パイプ５０や下噴射パイプ４３からの斜め放射流の噴射により螺旋流を起生して排泄物を渦巻流に乗せて流動させる。洗浄水は冬期などの必要に応じて加温手段ａによる温暖水として噴射することもできる。洗浄水（温暖水）には、微細エアーを混合することもある。排尿受ガイド盤６２内を洗浄するための水配管を別途設けることもある。
【００１７】  そののち、捕集物排除手段４９がＯＮとされることで、排泄物は洗浄水とともに捕集物還流部５８内に捕集処理される。その際は洗浄水を追加的に供給すると排泄物を効果的に排出することができる。その排出後には、リモコン５５の操作により乾燥気供給手段４７がＯＮにされ、乾燥気噴出パイプ４８よりの乾燥気の噴出により身体の洗浄個所や受処理盤３０・受入れ盤２０・排尿受ガイド盤６２などの内面が乾燥され、必要によっては加温手段ａによる温暖気も使用することができる。乾燥が終わると、排尿受ガイド盤６２が取り外されるとともに中央前下回り帯５が元の下回り状態に戻される。そのあとは、必要により寝具が追加される。
【符号の説明】
【００１８】  １…要介護者  ２…下半身装身具  ３…ベッド  ５…中央前下回り帯  ６…面ファスナー  １１…ベッド本体  １３…凹部  １５…受パッド  １６…上側セット凹部  １７…下側セット凹部  ２０…受入れ盤  ２１…上受入口  ２２…下通口  ２３…受入れ環部  ２５…外周環部  ３０…受処理盤  ３１…上通口  ４３，５０…捕捉処理用噴射パイプ  ４５…洗浄水供給手段  ４７…乾燥気供給手段  ４９…捕集物還流部  ５７…乾燥気供給源  ５８…捕集物還流部  ５９…給水源  ６２…排尿受ガイド。
【図１】
0003224117.tif 000003
【図２】
0003224117.tif 000004
【図３】
0003224117.tif 000005
【図４】
0003224117.tif 000006